(57)【要約】【課題】生成される電解水の溶存水素濃度を高感度で且つ連続的に測定することができる電解水生成器を提供する。【解決手段】  水を電解することにより電解水を生成する電解水生成器において、電解水の水質測定用センサとして隔膜型ポーラログラフ方式の溶存水素センサ４を具備する。これより、生成される電解水の溶存水素濃度を高感度で且つ連続的に測定してユーザー等に報知することができるものである。【選択図】図１
2006035107.tif 000002
【特許請求の範囲】
【請求項１】
水を電解することにより電解水を生成する電解水生成器において、電解水の水質測定用センサとして隔膜型ポーラログラフ方式の溶存水素センサを具備することを特徴とする電解水生成器。
【請求項２】
電解水に水素を供給して溶解させる水素供給・溶解装置を具備することを特徴とする請求項１に記載の電解水生成器。
【請求項３】
電解水のｐＨを測定するｐＨセンサを具備することを特徴とする請求項１又は２に記載の電解水生成器。
【発明の詳細な説明】
【技術分野】
【０００１】
本発明は、水道水等の原水を電解してアルカリイオン水等の電解水を得る電解水生成器に関するものである。
【背景技術】
【０００２】
水道水等の原水を電解してアルカリイオン水等の電解水を得る電解水生成器、いわゆるアルカリイオン水整水器は、薬事法で医療用物質生成器として認可されており、胃腸疾患などに対する効能が認められている。その作用機構としては、電解水中に含まれる溶存水素の還元作用が主な作用機構のひとつと考えられている（特許文献１参照）。
【０００３】
そこで、より安心して電解水を飲めるようにするため、電解水生成器に、電解水の溶存水素濃度を測定してユーザーに報知するためのセンサとして、水素吸蔵合金の水素吸蔵による電気抵抗値の変化に基づいて溶存水素濃度を導出するものを搭載することが提案されている。
【特許文献１】特開２００４−１２５５１３号公報
【発明の開示】
【発明が解決しようとする課題】
【０００４】
しかし、上記のような水素吸蔵合金中への水素吸蔵に伴う電気抵抗変化を利用した溶存水素濃度測定では、測定のために水素吸蔵合金に溶存水素を吸蔵させた後、次回の測定のために水素吸蔵合金から水素を放出させなければならず、そのための外部電源の供給が必要となるものであった。またこのような水素吸蔵合金からの水素の放出時には溶存水素濃度の測定を行うことができず、連続的な溶存水素測定を行うことができないものであった。
【０００５】
本発明は上記の点に鑑みて為されたものであり、生成される電解水の溶存水素濃度を高感度で且つ連続的に測定することができる電解水生成器を提供することを目的とするものである。
【課題を解決するための手段】
【０００６】
本発明に係る電解水生成器は、水を電解することにより電解水を生成する電解水生成器において、電解水の水質測定用センサとして隔膜型ポーラログラフ方式の溶存水素センサ４を具備することを特徴とする。これより、生成される電解水の溶存水素濃度を高感度で且つ連続的に測定して、ユーザー等に報知することができる。
【０００７】
この電解水生成器には、電解水に水素を供給して溶解させる水素供給・溶解装置１４を設けることが好ましく、この場合、電解水の溶存水素濃度を希望に応じて増大させることができる。
【０００８】
また、電解水のｐＨを測定するｐＨセンサ１６を設けることも好ましく、この場合、生成される電解水のｐＨを測定してユーザー等に報知することができる。
【発明の効果】
【０００９】
本発明によれば、生成される電解水の溶存水素濃度を隔膜型ポーラログラフ方式の溶存水素センサにて高感度で且つ連続的に測定して、ユーザー等に報知することができるものである。
【発明を実施するための最良の形態】
【００１０】
図１に本発明の第一の実施形態を示す。
【００１１】
図示の電解水生成器は、電解槽１と、電解槽１内で生成された電解水（アルカリイオン水）中の溶存水素濃度を検出するための溶存水素センサ４とが設けられている。
【００１２】
電解槽１には、水道水等の原水を電解槽１に供給するための導入流路１０が接続されている。電解槽１の内部には陽極８と陰極９の二種の電極を内装されている。ここで電解槽１の内部には陽極室と陰極室とが設けられていると共にこの陽極室と陰極室とは隔膜２を介して隔てられている。そして陽極室内に陽極８が、陰極室内に陰極９がそれぞれ配設されている。ここで、上記導入流路１０は電解槽１内の陽極室に直接連通するように形成されている。
【００１３】
上記陽極室には、陽極室内にて生成された電解水（酸性イオン水）を装置外部に吐出するための吐出流路７が連通接続されている。また、陰極室には、陰極室内にて生成された電解水（アルカリイオン水）を装置外部に吐出するための吐出流路３が連通接続されている。
【００１４】
また、上記吐出流路３からは測定用流路６が分岐して設けられ、この測定用流路６は溶存水素センサ４に接続されている。溶存水素センサ４には液晶表示パネル等からなる表示装置５が接続され、溶存水素センサ４にて測定された溶存水素濃度が表示装置５にて表示されるようになっている。
【００１５】
上記溶存水素センサ４としては、隔膜型ポーラログラフ方式の溶存水素センサ４が設けられている。隔膜型ポーラログラフ方式の溶存水素センサ４は、気体透過性の隔膜と、この隔膜を通して浸透・拡散してきた水素が溶解される電解液と、この電解液に電圧を印加するためのアノード及びカソードとを備えるものであり、前記アノード−カソード間に電圧を印加した際の電解液中での酸化還元反応に起因する電流値に基づき、溶存水素濃度を求めるものである。このような隔膜型ポーラログラフ方式の溶存水素センサ４としては、具体的には東亜電波工業株式会社製の溶存水素計、品番「ＤＨＤＩ−１」を挙げることができる。
【００１６】
このように構成される電解水生成器では、導入流路１０を通じて電解槽１内に水道水等が供給されると共に陰極と陽極との間に電圧が印加されると、陰極室内にてアルカリイオン水が生成されると共に、陽極室内で酸性イオン水が生成される。このときアルカリイオン水には水素が生成されて溶存する。酸性イオン水は吐出流路７を通じて装置外部に吐出され、アルカリイオン水は吐出流路３を通じて装置外部に供給される。このときアルカリイオン水の一部が測定用流路６を介して溶存水素センサ４に供給され、溶存水素センサ４にてアルカリイオン水内の溶存水素濃度が測定されて、その結果が表示装置５にて表示される。このため、電解水生成器を利用するユーザー等に対して、電解水生成器にて生成されるアルカリイオン水中の溶存水素濃度を報知することができるものである。
【００１７】
図２に示す実施形態は、水素供給・溶解装置１４を設けた電解水生成器の例を示すものであり、図１に示す実施形態において、吐出流路３に水素供給・溶解装置１４が設けられている。
【００１８】
水素供給・溶解装置１４は、吐出流路３の途中に設けられた水素溶解槽１１を備え、水素溶解槽１１には水素供給経路１２を介して水素供給源１５が接続されている。水素供給源１５としては、例えば水素ガスボンベ等が用いられる。また水素供給経路１２と水素溶解槽１１とは、ガラスフィルタ１３を介して連通している。このような水素供給・溶解装置１４では、水素供給源１５から水素供給経路１２を介して水素溶解槽１１に供給される水素は、ガラスフィルタ１３を通過することで細かい泡状となって水素溶解槽１１内のアルカリイオン水内に供給（バブリング）され、これによりアルカリイオン水に水素が溶解される。
【００１９】
このように水素が供給されたアルカリイオン水は、図１に示す場合と同様に溶存水素センサ４にて溶存水素濃度が測定された後、外部に吐出されるものである。
【００２０】
本実施形態では、アルカリイオン水に対して更に追加的に水素を溶解させることができるので、アルカリイオン水中の溶存水素濃度を増大させることができる。すなわち、電解槽１内における電解のみではアルカリイオン水内の溶存水素濃度は０．２ｐｐｍ程度であるのに対して、上記のように水素供給・溶解装置１４にて追加的に水素を供給すると、更に溶存水素濃度が高いアルカリイオン水を得ることができるものである。また、溶存水素センサ４により測定された溶存水素濃度に基づき、ユーザー等は水素供給・溶解装置１４による電解水への水素の供給量を制御することで、所望の溶存水素濃度を有する電解水を得ることができ、或いは自動制御により溶存水素センサ４により測定された溶存水素濃度に基づき水素供給・溶解装置１４を制御することで所望の溶存水素濃度を有する電解水を得ることもできるものである。
【００２１】
図３は、水素ガスのバブリングによる水中の溶存水素濃度の経時変化を示すグラフであり、５００ｍｌの純水中に０．３５ｍｌ／ｓの流量で水素ガスのバブリングした場合の、経過時間と溶存水素濃度との関係を示している。これにより、バブリングで溶存水素濃度を増大させることが可能であることがわかる。
【００２２】
図４に示す実施形態は、図２に示す構成に加えて、更に電解槽１にて生成されるアルカリイオン水のｐＨを測定するｐＨセンサ１６を設けている。ｐＨセンサとしては、ガラス感応電極を備えるものなど、公知の適宜の構成のものを用いることができる。
【００２３】
図示の例では、電解槽１の下流側にｐＨセンサ１６を設け、その下流側に水素供給・溶解装置１４を設け、更にその下流側に溶存水素センサ４を設けており、すなわち図３に示す構成において、吐出流路３から、電解槽１と水素供給・溶解装置１４との間において、測定用流路１８が分岐して設けられ、この測定用流路１８はｐＨセンサ１６に接続されている。ｐＨセンサ１６には表示装置１７が接続され、ｐＨセンサ１６にて測定されたアルカリイオン水のｐＨが表示装置１７にて表示されるようになっている。この場合、生成される電解水のｐＨを測定してユーザー等に報知することができるものである。また、ｐＨセンサ１６により測定された溶存水素濃度に基づき、ユーザー等は電解槽１における電解条件等を調整することで、所望のｐＨ値を有する電解水を得ることができ、或いは自動制御によりｐＨセンサ１６により測定されたｐＨ値に基づき電解槽１における電解条件等を制御することで所望のｐＨ値を有する電解水を得ることもできるものである。
【図面の簡単な説明】
【００２４】
【図１】本発明の実施の形態の一例を示す概略図である。
【図２】同上の他例を示す概略図である。
【図３】水素ガスをバブリングした際の溶存水素濃度の経時変化を示すグラフである。
【図４】本発明の実施の形態の更に他例を示す概略図である。
【符号の説明】
【００２５】
４  溶存水素センサ
１６  ｐＨセンサ
【図１】
2006035107.tif 000003
【図２】
2006035107.tif 000004
【図３】
2006035107.tif 000005
【図４】
2006035107.tif 000006